(57)【要約】【課題】ユニットバス等のユニットルームを安定的に吊り上げ可能、かつ吊降ろした後は簡単に係着解除可能で、吊り上げ用補強部材が不要な吊り上げ構造を提供する。【解決手段】吊り上げ構造１の吊り上げ治具１０をクレーン（吊り上げ機）のフック２ｆから吊り下げる。ユニットルーム９の底部には係着部２４を設ける。吊り上げ治具１０の下端部１４を係着部２４に係着する。吊り上げ治具１０と係着部２４との係着を遠隔から解除可能とする。【選択図】図１
2018027850.tif 000002
【特許請求の範囲】
【請求項１】
ユニットルームを吊り上げ機に繋げて吊り上げるための吊り上げ構造であって、
前記吊り上げ機から吊り下げられる吊り上げ治具と、
前記ユニットルームの底部に設けられ、前記吊り上げ治具の下端部を係着可能かつ遠隔又は前記ユニットルームの室内から前記係着を解除可能な係着部と、
を備えたことを特徴とするユニットルームの吊り上げ構造。
【請求項２】
前記係着部が、前記ユニットルームの底面と直交する回転軸まわりに回転可能、かつ前記ユニットルームの側方から前記ユニットルームの底部へ挿し入れられた解除治具によって前記回転軸まわりの一方向へ回転可能であり、
前記吊り上げ治具の下端部が、前記係着部の前記一方向への回転によって前記係着部から解放可能であることを特徴とする請求項１に記載の吊り上げ構造。
【請求項３】
前記ユニットルームの底部には室内から開閉可能な開閉部が設けられており、
前記係着部が、前記開閉部の下方に臨むように配置されていることを特徴とする請求項１に記載の吊り上げ構造。
【請求項４】
前記吊り上げ治具が、上下に延びる吊ロッドを含み、前記吊ロッドの上端部が、前記ユニットルームの上端部付近よりも上方に位置され、前記吊ロッドの下端部が、前記係着部に係着され、かつ前記吊ロッドが自軸まわりに一方向へ回転されることによって前記吊ロッドの下端部と前記係着部との係着が解除可能であることを特徴とする請求項１に記載の吊り上げ構造。
【請求項５】
前記ユニットルームの壁の下側部に貫通穴が形成されており、
前記係着部が、前記貫通穴を外側から覆うようにして前記ユニットルームの底部に取付けられたピン留め部材と、前記ユニットルームの室内から前記貫通穴を通して前記ピン留め部材に着脱可能に留められる係止ピンとを含み、
前記吊り上げ治具の下端部が前記係止ピンに係着可能であることを特徴とする請求項１に記載の吊り上げ構造。
【発明の詳細な説明】
【技術分野】
【０００１】
本発明は、ユニットバス等のユニットルームの吊り上げ構造に関し、特に、ユニットルームをクレーン等の吊り上げ機に繋げて吊り上げるための吊り上げ構造に関する。
【背景技術】
【０００２】
ユニットバス等のユニットルームを吊り上げる方法としては、ユニットルームの底部に係着部を設け、これにワイヤーロープを係着して吊る方法（特許文献１参照）、ユニットルームの上端部に係着部を設け、これにワイヤーロープを係着して吊る方法（特許文献２参照）、ワイヤーロープをユニットルームの底面を通るように上下まわりに掛け回して吊る方法等が挙げられる。
【先行技術文献】
【特許文献】
【０００３】
【特許文献１】特開平６−２１２８０２号公報
【特許文献２】特開平４−３５０２６８号公報
【発明の概要】
【発明が解決しようとする課題】
【０００４】
ユニットルームの底部に係着部を設けて吊り上げる方法（特許文献１等）においては、ユニットルームを建物の所定位置に吊降ろした際、係着部が壁との間やコーナー部等の狭所に配置されることがある。そうすると、ワイヤーロープを係着部から外しにくい。
ユニットルームの上端部に係着部を設けて吊り上げる方法（特許文献２等）においては、吊り下げ状態のユニットルームが自重に耐え得る必要がある、特許文献２では、ユニットルームの外面に梯子状の補強部材を設置して補強している。かかる補強は、吊り上げ時にしか必要でなく、吊降ろし後は無用となる。それにも拘わらず、大掛かりな補強部材を設けるのは無駄が多い。
ワイヤーロープをユニットルームの上下まわりに掛け回して吊る方法においては、ユニットルームの姿勢が崩れるおそれがあり不安定である。
本発明は、かかる事情に鑑みてなされたものであり、ユニットバス等のユニットルームを安定的に吊り上げることができ、かつ吊降ろした際に係着部が狭所に配置されることになったとしても、ワイヤーロープ等の吊り上げ治具を係着部から容易に外すことができ、かつ吊降ろし後は無用となる吊り上げ用補強部材を設けなくても済む吊り上げ構造を提供することを目的とする。
【課題を解決するための手段】
【０００５】
前記課題を解決するため、本発明は、ユニットルームを吊り上げ機に繋げて吊り上げるための吊り上げ構造であって、
前記吊り上げ機から吊り下げられる吊り上げ治具と、
前記ユニットルームの底部に設けられ、前記吊り上げ治具の下端部を係着可能かつ遠隔又は前記ユニットルームの室内から前記係着を解除可能な係着部と、
を備えたことを特徴とする。
【０００６】
この吊り上げ構造によれば、吊り上げ治具をユニットルームの底部の係着部に係着することによって、ユニットルームの底部を支持して安定的に吊り上げることができる。ユニットルームを家屋等における所定位置に吊降ろした際、係着部が壁又は床との間やコーナー等の狭所に配置されることになったとしても、遠隔又はユニットルームの室内から吊り上げ治具と係着部との係着を解除でき、吊り上げ治具をユニットルームから離して撤去できる。遠隔とは、係着部から離れた位置から係着解除操作可能であることを言う。更に、吊降ろし後は無用となる吊り上げ用補強部材をユニットルームに設けなくても済む。
【０００７】
前記係着部が、前記ユニットルームの底面と直交する回転軸まわりに回転可能、かつ前記ユニットルームの側方から前記ユニットルームの底部へ挿し入れられた解除治具によって前記回転軸まわりの一方向へ回転可能であり、前記吊り上げ治具の下端部が、前記係着部の前記一方向への回転によって前記係着部から解放可能であってもよい。
これによって、ユニットルームを家屋等における所定位置に吊降ろした際、係着部が床との間に配置されるために直接的には係着部に手が届かなくても、解除治具の操作によって遠隔的に吊り上げ治具を係着部から解放できる。ひいては、吊り上げ治具をユニットルームから分離できる。
【０００８】
前記ユニットルームの底部には室内から開閉可能な開閉部が設けられており、前記係着部が、前記開閉部の下方に臨むように配置されていてもよい。
これによって、家屋等の建物における所定位置にユニットルームを吊降ろした際、係着部が狭所に配置されることになったとしても、ユニットルームの室内から開閉部を開けることで、吊り上げ治具と係着部との係着を解除でき、ひいては、吊り上げ治具をユニットルームから分離できる。
【０００９】
前記吊り上げ治具が、上下に延びる吊ロッドを含み、前記吊ロッドの上端部が、前記ユニットルームの上端部付近よりも上方に位置され、前記吊ロッドの下端部が、前記係着部に係着され、かつ前記吊ロッドが自軸まわりに一方向へ回転されることによって前記吊ロッドの下端部と前記係着部との係着が解除可能であってもよい。
これによって、家屋等の建物における所定位置にユニットルームを吊降ろした際、係着部が狭所に配置されることになったとしても、ユニットルームの上端部付近又はユニットルームより上方において吊ロッドを回すことによって、吊り上げ治具を係着部ひいてはユニットルームから分離できる。
前記吊ロッドの下端部と前記係着部とがねじ結合されることが好ましい。
前記吊ロッドの下端部に雄ネジが形成され、前記係着部に雌ネジが形成され、前記雄ネジが前記雌ネジに螺合されることが、より好ましい。
【００１０】
前記ユニットルームの壁の下側部に貫通穴が形成されており、前記係着部が、前記貫通穴を外側から覆うようにして前記ユニットルームの底部に取付けられたピン留め部材と、前記ユニットルームの室内から前記貫通穴を通して前記ピン留め部材に着脱可能に留められる係止ピンとを含み、前記吊り上げ治具の下端部が前記係止ピンに係着可能であってもよい。
これによって、家屋等の建物における所定位置にユニットルームを吊降ろした際、係着部が狭所に配置されることになったとしても、ユニットルームの室内から係止ピンを引き抜くことで、吊り上げ治具と係着部との係着を解除することができる。
【発明の効果】
【００１１】
本発明によれば、ユニットバス等のユニットルームを安定的に吊り上げることができる。吊り降ろした際、係着部が狭所に配置されることになったとしても、吊り上げ治具を係着部から容易に外すことができる。かつ、吊り上げ用補強部材を設けなくても済む。
【図面の簡単な説明】
【００１２】
【図１】図１は、本発明の第１実施形態に係るユニットバス（ユニットルーム）吊り上げ構造を、ユニットバスを吊り上げた状態で解説的に示す正面図である。
【図２】図２は、図１のＩＩ−ＩＩ線に沿う、前記ユニットバスの底面図である。
【図３】図３は、前記ユニットバスを浴室スペースに設置した状態における吊り上げ構造の正面図である。
【図４】図４（ａ）は、図３のＩＶａ−ＩＶａ線に沿う、前記ユニットバスの底面図である。図４（ｂ）は、吊り上げ構造の吊り上げ治具をユニットバスの係着部から解除する状態を示す、ユニットバスの底面図である。
【図５】図５は、本発明の第２実施形態に係る吊り上げ構造を、ユニットバスを吊り上げた状態で解説的に示す斜視図である。
【図６】図６は、本発明の第３実施形態に係る吊り上げ構造を、ユニットバスを吊り上げた状態で示す正面図である。
【図７】図７は、前記第３実施形態の吊り上げ構造の吊ロッド及び板状係着部の分解斜視図である。
【図８】図８は、本発明の第４実施形態に係る吊り上げ構造を、ユニットバスを吊り上げた状態で示す正面図である。
【図９】図９（ａ）は、図８の円部ＩＸａを拡大して示す正面断面図である。図９（ｂ）は、同図（ａ）において係着部の係止ピンを引き抜いた状態の正面断面図である。
【発明を実施するための形態】
【００１３】
以下、本発明の実施形態を説明する。
＜第１実施形態＞
図１〜図４は、本発明の第１実施形態を示したものである。図１に示すように、ユニットバス９（ユニットルーム）が、搬送のために、吊り上げ構造１によってクレーン等の吊り上げ機(図示省略）に連繋されて吊り上げられている。吊り上げ構造１は、吊り上げ治具１０と、回転係着手段２０を備えている。
【００１４】
吊り上げ治具１０は、クレーンから吊り下げられている。吊り上げ治具１０は、複数の玉掛けロープ１１と、枠天秤１２と、複数の吊索体１３を含む。ユニットバス９の上方に枠天秤１２が配置されている。枠天秤１２は、例えば平面視で四角形の枠形状になっている。枠天秤１２が、複数の玉掛けロープ１１を介してクレーンのフック２ｆに係着されることで、水平に吊り下げられている。
【００１５】
枠天秤１２の各隅部に吊索体１３の上端部が係着されている。吊索体１３は、ワイヤーロープやチェーン等によって構成されている。吊索体１３は、枠天秤１２からユニットバス９の側壁に沿って垂下されている。吊索体１３の下側部は、ユニットバス９の底面（下面）に沿うように回り込んでいる。
【００１６】
図２に示すように、ユニットバス９の底部に回転係着手段２０が設けられている。回転係着手段２０は、回転軸２１と、回転アーム２２と、係着部２４を含む。回転軸２１は、ユニットバス９の底面（下面）の中央部に配置されている。回転軸２１の軸線は、ユニットバス９の底面と直交されている。回転軸２１に複数（図では４つ）の回転アーム２２が設けられている。これら回転アーム２２は、回転軸２１から放射状にユニットバス９の底面に沿って延び出ている。各回転アーム２２の先端部に係着部２４が設けられている。回転アーム２２ひいては係着部２４が、回転軸２１まわりに回転可能になっている。
【００１７】
図２及び図４（ａ）に示すように、吊索体１３の下端部の留め輪１４が、係着部２４に係着されている。ひいては、吊り上げ治具１０が回転係着手段２０に係着されている。図４（ｂ）に示すように、回転アーム２２を一方向（例えば反時計回り）に回転させることによって、留め輪１４が係着部２４から解放可能になっている。
【００１８】
ユニットバス９の吊搬送時には、クレーンによって吊り上げ治具１０を引き上げる。吊り上げ治具１０の吊索体１３をユニットバス９の底部の回転係着手段２０に係着しておくことによって、ユニットバス９を安定的に吊り上げることができる。
図３に示すように、このユニットバス９を家屋の浴室スペース８に吊降ろす。床８ｆ上には台座８ｂを設け、台座８ｂ上にユニットバス９を設置する。或いは、ユニットバス９の底部に脚部を設け、脚部を床８ｆに接地させてもよい。
ユニットバス９の少なくとも１つの側面は、浴室の壁８ｗと近接して配置される。かつ、一部の吊索体１３がユニットバス９の側面と浴室壁８ｗとの間に配置される。回転係着手段２０は、ユニットバス９の底面と床８ｆとの間に挟まれる。
【００１９】
図４（ａ）に示すように、解除治具２５を用意しておく。解除治具２５は、取手２５ａと、棒体２５ｂと、引っ掛け部２５ｆを含む。取手２５ａから棒体２５ｂが直線状に延びている。棒体２５ｂの先端部に引っ掛け部２５ｆが設けられている。
解除治具２５の棒体２５ｂをユニットバス９の側方からユニットバス９の底部（詳しくは、ユニットバス９の底面と床８ｆとの間）に挿し入れる。そして、引っ掛け部２５ｆを何れか１つのアーム２２に引っ掛ける。続いて、図４（ａ）の白抜き矢印にて示すように、取手２５ａを側方へ引く。すると、図４（ｂ）に示すように、回転アーム２２が回転され、係着部２４が吊索体１３の留め輪１４から外れる。したがって、係着部２４が狭所に配置されていても、吊り上げ治具１０と係着部２４との係着を遠隔的に解除できる。そして、吊り上げ治具１０をユニットバス９から離して撤去できる。
吊り上げ構造１によれば、ユニットバス９の底部を支持して吊り上げるものであるため、吊降ろし後は無用となる吊り上げ用構造をユニットバス９に設けなくても済む。
【００２０】
次に、本発明の他の実施形態を説明する。以下の実施形態において既述の形態と重複する構成に関しては図面に同一符号を付して説明を省略する。
＜第２実施形態＞
図５は、本発明の第２実施形態に係る吊り上げ構造１Ｂを示したものである。
吊り上げ構造１Ｂにおいては、ユニットバス９の底部に開閉部９３が設けられている。詳しくは、ユニットバス９の床部９２の四隅のタイル９４が着脱可能になることで、開閉部９３が構成されている。タイル９４が、開閉部９３の開閉蓋となっている。タイル９４は、ユニットバス９の室内９ａから着脱可能である。ひいては、開閉部９３が室内９ａから開閉可能になっている。
【００２１】
ユニットバス９の床下（底面）には、開閉部９３ごとにフック等の係着部２６が設けられている。係着部２６は、開閉部９３の下方に臨むように配置されている。つまり、室内９ａからタイル９４を外して開閉部９３を開けると、床下の係着部２６を目視できる。好ましくは、係着部２６は、開閉部９３から手を挿し入れて届く位置に配置されている。係着部２６に吊索体１３の留め輪１４が係着されている。
【００２２】
ユニットバス９の吊搬送時には、クレーンによって吊り上げ治具１０を引き上げる。ユニットバス９の底部に係着部２６を設けることによって、ユニットバス９を安定的に吊り上げることができる。かつ、ユニットバス９に吊り上げ用構造を設けなくても済む。
このユニットバス９を家屋の浴室スペース８（図３参照）に吊降ろす。その後、ユニットバス９の室内９ａからタイル９４を外して開閉部９３を開ける。これによって、係着部２６が狭所に在ったとしても、吊索体１３の留め輪１４を係着部２６から簡単に外すことができる。ひいては、吊り上げ治具１０をユニットバス９から簡単に分離できる。
【００２３】
＜第３実施形態＞
図６及び図７は、本発明の第３実施形態に係る吊り上げ構造１Ｃを示したものである。
図６に示すように、吊り上げ構造１Ｃにおける吊り上げ治具１０Ｃは、前記吊索体１３（図１）に代えて、吊ロッド３０を含んでいる。吊ロッド３０は、上下に真っ直ぐ延びている。吊ロッド３０の上端部には係止部３１が設けられている。係止部３１は、ユニットバス９の上端部付近よりも上方に位置されている。係止部３１が枠天秤１２に係止されることによって、吊ロッド３０が、枠天秤１２から吊り下げられている。
なお、吊ロッド３０の上端部の位置は、ユニットバス９の上端部付近よりも上方であればよく、ユニットバス９の上端部と略同じ高さでもよく、ユニットバス９の上端部より少し下方であってもよい。好ましくは、吊ロッド３０の上端部は、例えばユニットバス９の上端部付近に居る作業者の手が届き、更には回転操作可能な高さに位置している。
図７に示すように、吊ロッド３０の下端部には、雄ネジ部３２が形成されている。
【００２４】
図６に示すように、ユニットバス９の底部には、係着部４０が設けられている。図７に示すように、係着部４０は、板状に形成され、ユニットバス９の側壁から突出されている。係着部４０には雌ネジ部４２が形成されている。図６に示すように、吊ロッド３０の雄ネジ部３２が雌ネジ部４２に螺合されている。これによって、吊ロッド３０の下端部が係着部４０に係着され、ひいては吊り上げ治具１０Ｃが係着部４０に係着されている。かつ、吊ロッド３９が自軸まわりに一方向へ回転されることによって、ネジ部３２，４２どうしの螺合が解除され、吊ロッド３０と係着部４０との係着が解除可能である。
【００２５】
ユニットバス９の吊搬送時には、クレーンによって吊り上げ治具１０Ｃを引き上げる。ユニットバス９の底部において吊ロッド３０と係着部４０を連結しておくことによって、ユニットバス９を安定的に吊り上げることができる。かつ、ユニットバス９に吊り上げ用構造を設けなくても済む。
このユニットバス９を家屋の浴室スペース８（図３参照）に吊降ろす。その後、ユニットバス９の上方において吊ロッド３０を回すことによって、雄ネジ部３２を雌ネジ部４２から外す。したがって、係着部４０が狭所に在ったとしても、吊ロッド３０ひいては吊り上げ治具１０Ｃを係着部４０から簡単に分離（係着解除）することができる。
【００２６】
＜第４実施形態＞
図８及び図９は、本発明の第４実施形態に係る吊り上げ構造１Ｄを示したものである。
吊り上げ構造１Ｄにおいては、ユニットバス９の壁９１の下側部に貫通穴９１ｃが形成されている。
吊り上げ構造１Ｄにおける係着部５０は、ピン留め部材５１と、係止ピン５２を含む。ピン留め部材５１は、例えば金属板によって構成されている。ピン留め部材５１は、壁９１の下側部の外面に沿って配置され、貫通穴９１ｃを外側から覆っている。ピン留め部材５１の下端部が、ユニットバス９の底部に固定されている。ピン留め部材５１と壁９１との間には隙間５１ｄが形成されている。ピン留め部材５１にはピン装着孔５１ｃが形成されている。ピン装着孔５１ｃと貫通穴９１ｃとが隙間５１ｄを挟んで対峙している。
【００２７】
図９（ａ）に示すように、係止ピン５２が、ユニットバス９の室内９ａから貫通穴９１ｃを通してピン留め部材５１のピン装着孔５１ｃに着脱可能に留められている。
吊索体１３の下端の留め輪１４が、隙間５１ｄに差し入れられている。かつ、係止ピン５２が、留め輪１４に通されている。これによって、ユニットバス９の底部において、吊索体１３が係着部５０に係着されている。
【００２８】
図８に示すように、ユニットバス９の吊搬送時には、クレーンによって吊り上げ治具１０を引き上げる。これによって、ユニットバス９の底部を支持して安定的に吊り上げることができる。かつ、ユニットバス９に吊り上げ用構造を設けなくても済む。
ユニットバス９を浴室スペース８（図３参照）に吊降ろす。その後、図９（ｂ）に示すように、ユニットバス９の室内９ａから係止ピン５２を引き抜く。これによって、係着部５０が狭所に在ったとしても、吊り上げ治具１０と係着部５０との係着を解除することができる。
【００２９】
本発明は、上記実施形態に限定されるものではなく、その趣旨を逸脱しない範囲において種々の改変をなすことができる。
例えば、ユニットルームは、ユニットバス９に限られず、ユニットトイレ等であってもよい。
第３実施形態（図６〜図７）において、吊ロッド３０の下端部に雌ネジ部が形成され、かつ係着部４０に雄ネジ部が突出するように設けられていてもよい。
【産業上の利用可能性】
【００３０】
本発明は、例えばユニットバスを吊り上げて家屋の浴室に設置するユニットバス吊り上げ方法に適用できる。
【符号の説明】
【００３１】
１，１Ｂ，１Ｃ，１Ｄ      吊り上げ構造
９          ユニットバス（ユニットルーム）
９ａ        室内
１０，１０Ｃ    吊り上げ治具
１３        吊索体
１４       留め輪（吊り上げ治具の下端部）
２０        回転係着手段
２１        回転軸
２４        係着部
２５        解除治具
２６        係着部
３０        吊ロッド
３１        係止部
３２        雄ネジ部（吊ロッドの下端部）
４０        係着部
４２        雌ネジ部
５０        係着部
５１        ピン留め部材
５２        係止ピン
９１        壁
９１ｃ      貫通穴
９２        床部（ユニットルームの底部）
９３        開閉部
９４        タイル
【図１】
2018027850.tif 000003
【図２】
2018027850.tif 000004
【図３】
2018027850.tif 000005
【図４】
2018027850.tif 000006
【図５】
2018027850.tif 000007
【図６】
2018027850.tif 000008
【図７】
2018027850.tif 000009
【図８】
2018027850.tif 000010
【図９】
2018027850.tif 000011